(57)【特許請求の範囲】
【請求項１】
装備品を、前記装備品が所望の位置に至るまで寝台の横板の端から寝台の横板用クランプを摺動させる必要なしに、手術／医療用寝台の前記寝台の横板の前記所望の位置に取り付けるための前記寝台の横板用クランプであって、
（ａ）（ｉ）第１の寝台の横板表面を有していて、前記寝台の横板を受容するように構成されているのど状区域と、（ｉｉ）第１のハウジングガイド要素と、を含むクランプハウジングと、
（ｂ）前記クランプハウジングと連結していて、クランプ開位置とクランプ閉位置との間で前記クランプハウジングに対して動くように構成されている作動部材であって、前記寝台の横板が前記クランプハウジングののど状区域内にあるときには、前記作動部材は、前記クランプ閉位置にあるときより前記クランプ開位置にあるときの方が前記寝台の横板に近くなる、作動部材と、
（ｃ）前記作動部材と連結しており、前記クランプハウジングに収容されている、第１の顎部材であって、前記第１の顎部材が、（ｉ）第１の寝台横板部及び第２の寝台横板部と、（ｉｉ）第１の顎部材ガイド要素と、を含み、前記第１の顎部材ガイド要素は、前記作動部材が前記クランプ開位置から前記クランプ閉位置まで閉じる方向に動くことで、（Ａ）前記第１の顎部材が、前記寝台の横板が前記クランプハウジングののど状区域に出入りするのを妨げない第１の顎開位置から、
（Ｂ）第１の顎部分的閉位置まで再配置し、次に、前記第１の顎部材を、前記第１の顎部材を前記閉じる方向に平行移動のみを介して、前記第１の顎部分的閉位置から、
（Ｃ）前記寝台の横板がクランプハウジングののど状区域内にあるとき、前記クランプハウジングの第１の寝台横板表面が前記寝台の横板の概ね垂直な外面と係合し、前記第１の顎部材の第１の寝台横板部が前記寝台の横板の概ね水平な上面又は下面に近接して配置され、かつ前記第１の顎部材の第２の寝台横板部が前記寝台の横板の概ね垂直な内面と係合する第１の顎閉位置まで、前記第１の顎部材を再配置させる際に、前記クランプハウジングの第１のハウジングガイド要素と物理的に連結するように構成されている、第１の顎部材と、を備える、寝台の横板用クランプ。
【請求項２】
（ｉ）前記クランプハウジングののど状区域は、さらに第２の寝台横板表面を有しており、（ｉｉ）前記第１の顎部材が前記第１の顎閉位置にあり、かつ前記寝台の横板が前記クランプハウジングののど状区域内にあるとき、前記クランプハウジングの第２の寝台横板表面が、前記第１の顎部材の第１の寝台横板部に近接して配置されていない前記寝台の横板の概ね水平の上面又は下面のどちらかに近接して配置されている、請求項１に記載の寝台の横板用クランプ。
【請求項３】
前記第１の顎部材が前記第１の顎閉位置にあり、かつ前記寝台の横板が前記クランプハウジングののど状区域内にあるとき、前記第２の寝台横板表面は、前記寝台の横板の概ね水平な上面に近接して配置されており、前記第１の顎部材の第１の寝台横板部は、前記第１の顎部材が前記第１の顎閉位置にあるとき、前記寝台の横板の概ね水平な下面に近接して配置されている、請求項２に記載の寝台の横板用クランプ。
【請求項４】
前記第１のハウジングガイド要素は、第１の凹所軌道を備えており、前記第１の顎部材ガイド要素は、前記作動部材が前記クランプ開位置と前記クランプ閉位置との間を移動する際に前記第１の凹所軌道の中で摺動するように構成されている第１のガイドピンを備えている、請求項１に記載の寝台の横板用クランプ。
【請求項５】
前記第１の凹所軌道は、前記閉じる方向に概ね平行な第１の区分と、前記第１の区分に対して概ね鈍角を形成している第２の区分と、を備えている、請求項４に記載の寝台の横板用クランプ。
【請求項６】
前記第１の顎部分的閉位置は、前記第１の顎部材が、前記クランプハウジングののど状区域内に配置されるとき、前記寝台の横板が前記クランプハウジングののど状区域から出ることを妨げるが、前記クランプハウジングの第１の寝台横板表面は、前記寝台の横板の前記概ね垂直な外面と係合しておらず、かつ／又は前記第１の顎部材の第２の寝台横板部は、前記寝台の横板の前記概ね垂直な内面と係合していない、位置である、請求項１に記載の寝台の横板用クランプ。
【請求項７】
前記クランプハウジングは、（ｉｉｉ）第２のハウジングガイド要素を更に含んでおり、前記寝台の横板用クランプは、（ｄ）前記作動部材と連結されており、前記クランプハウジングに収容されている第２の顎部材をさらに備えており、前記第２の顎部材は、（ｉ）第３の寝台横板部及び第４の寝台横板部と、（ｉｉ）第２の顎部材ガイド要素とを含み、前記第２の顎部材ガイド要素は、前記第２の顎部材を前記閉じる方向に平行移動させ、かつ前記第２の顎部材を、（Ａ）前記第２の顎部材が、前記寝台の横板が前記クランプハウジングののど状区域に出入りするのを妨げない第２の顎開位置から、（Ｂ）前記寝台の横板が前記クランプハウジングののど状区域内にあるとき、前記クランプハウジングの第１の寝台横板表面が前記寝台の横板の概ね垂直な外面と係合し、前記第２の顎部材の第３の寝台の横板部が、前記第１の顎部材が前記第１の顎閉位置にあるとき、前記第１の顎部材の第１の寝台横板部に近接して配置されていない前記寝台の横板の前記概ね水平な上面又は下面のどちらかに近接して配置されており、前記第２の顎部材の第４の寝台横板部は、前記寝台の横板の前記概ね垂直な内面と係合している、第２の顎閉位置まで移動させて、前記第２の顎部材を再配置するために、前記作動部材が前記クランプ開位置から前記クランプ閉位置まで前記閉じる方向に動く際に、前記クランプハウジングの第２のハウジングガイド要素と物理的に連結するように構成されている、請求項１に記載の寝台の横板用クランプ。
【請求項８】
前記第２のハウジングガイド要素は、第２の凹所軌道を備えており、前記第２の顎部材ガイド要素は、前記作動部材が前記クランプ開位置と前記クランプ閉位置の間で移動する際に、前記第２の凹所軌道の中で摺動するように構成されている第２のガイドピンを備えている、請求項７に記載の寝台の横板用クランプ。
【請求項９】
前記閉じる方向は、概ね水平である、請求項１に記載の寝台の横板用クランプ。
【請求項１０】
前記第１の顎部材の第１の寝台横板部は、第１の表面を備えており、前記第１の顎部材の第２の寝台横板部は、前記第１の表面と概ね直角な第２の表面を備えている、請求項１に記載の寝台の横板用クランプ。
【請求項１１】
ハンドルと、前記クランプハウジングに収容されているハンドルシャフトとを含むハンドルアッセンブリをさらに備えており、前記ハンドルシャフトは、前記ハンドルと連結されている近位端部と、前記作動部材と連結されている遠位端部とを備えている、請求項１に記載の寝台の横板用クランプ。
【請求項１２】
前記ハンドルは、つまみを備えていて、前記ハンドルシャフトの前記遠位端部が前記作動部材とねじ連結されているので、前記つまみを回すと、前記作動部材が前記クランプ開位置と前記クランプ閉位置の間で移動する、請求項１１に記載の寝台の横板用クランプ。
【請求項１３】
前記ハンドルシャフト及び前記クランプハウジングは、ばね相補型ラチェット構成要素を含んでおり、前記ばね相補型ラチェット構成要素は、前記ばね相補型ラチェット構成要素を解放すると、前記ハンドル及び前記ハンドルシャフトが、前記作動部材を（ｉ）前記クランプ開位置から前記クランプ閉位置まではラチェット様式で、（ｉｉ）前記クランプ閉位置から前記クランプ開位置まではばね力で、動くように構成されている、請求項１１に記載の寝台の横板用クランプ。
【請求項１４】
（ｉ）前記ハンドルは、前記クランプハウジングに対してカム作用し、カミングラッチ開位置とカミングラッチ閉位置の間を移動するように構成されているカミングラッチを備えており、（ｉｉ）前記カミングラッチが前記カミングラッチ開位置から前記カミングラッチ閉位置へ移動する際、カミングラッチによって、前記作動部材が前記クランプ開位置からクランプ閉位置まで移動する、請求項１１に記載の寝台の横板用クランプ。
【請求項１５】
前記クランプハウジングによって収容されている近位端部と、前記寝台の横板が前記クランプハウジングののど状区域内にあり、かつ前記第１の顎部材が前記第１の顎閉位置にあるとき、前記寝台の横板の上方に前記クランプハウジングから離れる方向に延在している遠位端部と、を有する装備品取付け支持部をさらに備えており、前記装備品取付け支持部が前記装備品を支持するように構成されている、請求項１に記載の寝台の横板用クランプ。
【請求項１６】
前記第１の顎部材は、前記作動部材と枢動可能に連結されており、前記第１の顎部材ガイド要素は、前記作動部材が前記クランプ開位置から前記クランプ閉位置まで閉じる方向に動くことで、前記第１の顎部材を、前記第１の顎部材を前記閉じる方向に平行移動させかつ前記第１の顎部材を枢動させることで、前記第１の顎開位置から前記第１の顎閉位置まで再配置させる際に、前記第１のハウジングガイド要素と物理的に連結するように構成されている、請求項１に記載の寝台の横板用クランプ。
【請求項１７】
枢動ピンが、前記第１の顎部材を前記作動部材と枢動可能に連結している、請求項１６に記載の寝台の横板用クランプ。
【請求項１８】
前記クランプハウジングは、前記閉じる方向と概ね平行に延在する凹所軌道を含んでおり、前記枢動ピンは、前記第１の顎部材を越え、前記クランプハウジングの凹所軌道の中へ延在しており、前記枢動ピンは、前記クランプハウジングの凹所軌道の中で摺動することで、前記作動部材と前記第１の顎部材が前記クランプハウジングに対して平行移動することができるように構成されている、請求項１７に記載の寝台の横板用クランプ。
【請求項１９】
装備品を手術／医療用寝台の横板の端から所望の位置まで摺動させる必要のない、前記装備品を前記手術／医療用寝台の横板の前記所望の位置に取り付ける方法であって、
（ａ）寝台の横板用クランプを提供することであって、前記寝台の横板用クランプは、
（ｉ）第１の寝台横板表面を含んでおり、前記手術／医療用寝台の横板を受け入れるように構成されているのど状区域を備えたクランプハウジングと、
（ｉｉ）前記クランプハウジングと連結していて、クランプ開位置とクランプ閉位置との間で前記クランプハウジングに対して動くように構成されている作動部材であって、前記寝台の横板が前記クランプハウジングののど状区域内にあるときに、前記作動部材は、前記クランプ閉位置にあるときより前記クランプ開位置にあるときの方が前記寝台の横板に近くなる、作動部材と、
（ｉｉｉ）前記作動部材と連結しており、前記クランプハウジングによって収容されている、第１の顎部材であって、前記第１の顎部材が、第１の寝台横板部及び第２の寝台横板部を備えている、第１の顎部材と、を備えている寝台の横板用クランプを提供することと、
（ｂ）前記作動部材は、前記クランプ開位置にあり、かつ前記第１の顎部材は、第１の顎開位置にあることを確実にすることと、
（ｃ）前記寝台の横板を、前記第１の顎部材から妨げられることなく前記クランプハウジングののど状区域の中へ導くことと、
（ｄ）前記作動部材を前記クランプ開位置から前記クランプ閉位置まで閉じる方向に動かすことであって、それによって、前記第１の顎部材を、前記第１の顎開位置から、第１の顎部分的閉位置まで再配置し、次に、前記第１の顎部材を、前記第１の顎部材を前記閉じる方向に平行移動のみを介して、前記第１の顎部分的閉位置から、前記クランプハウジングの第１の寝台横板部の表面が前記寝台の横板の概ね垂直な外面と係合する第１の顎閉位置に再配置し、前記第１の顎部材の第１の寝台横板部は、前記寝台の横板の概ね水平な上面又は下面に近接して配置され、前記第１の顎部材の第２の寝台横板部は、前記寝台の横板の概ね垂直な内面と係合する、前記作動部材を動かすことと、を含む方法。
【請求項２０】
（ｉ）前記クランプハウジングは、前記第１の顎部材が前記第１の顎閉位置にあるとき、前記寝台の横板の前記概ね水平な上面に近接して配置されている第２の寝台横板表面をさらに含んでおり、（ｉｉ）前記第１の顎部材の第１の寝台横板部は、前記第１の顎部材が前記第１の顎閉位置にあるとき、前記寝台の横板の前記概ね水平な下面に近接して配置されている、請求項１９に記載の方法。
【請求項２１】
（ｉ）前記クランプハウジングは、第１のハウジングガイド要素をさらに備えており、（ｉｉ）前記第１の顎部材は、第１の顎部材ガイド要素をさらに備えており、（ｉｉｉ）前記第１の顎部材を再配置することは、前記第１のハウジングガイド要素を前記第１の顎部材ガイド要素と物理的に連結させ、前記第１の顎部材を前記第１の顎閉位置に案内することに役立つようにすることを備えている、請求項１９に記載の方法。
【請求項２２】
（ｉ）前記第１のハウジングガイド要素は、凹所軌道を備えており、前記第１の顎部材ガイド要素は、ガイドピンを備えており、（ｉｉ）前記第１のハウジングガイド要素は、前記凹所軌道の中で摺動する前記ガイドピンを備えている前記第１の顎部材ガイド要素と物理的に連結している、請求項２１に記載の方法。
【請求項２３】
（ｉ）前記寝台の横板用クランプは、前記作動部材と連結しており、前記クランプハウジングによって収容されている、第２の顎部材をさらに含んでおり、前記第２の顎部材は、第３の寝台横板部及び第４の寝台横板部を備えており、（ｉｉ）前記寝台の横板を前記クランプハウジングののど状区域に導くことは、前記第２の顎部材から妨げられることがなく、（ｉｉｉ）前記作動部材を前記クランプ開位置から前記クランプ閉位置まで閉じる方向に移動させことが、前記第２の顎部材を、前記クランプハウジングの第１の寝台横板表面が前記寝台の横板の前記概ね垂直な外面と係合する第２の顎閉位置に再配置し、前記第２の顎部材の第３の寝台横板部は、前記第１の顎部材が前記第１の顎閉位置にあるとき、前記第１の顎部材の第１の寝台横板部に近接して配置されていない前記寝台の横板の前記概ね水平な上面又は下面のどちらかに近接して配置されており、前記第２の顎部材の第４の寝台横板部は、前記寝台の横板の前記概ね垂直な内面と係合している、請求項１９に記載の方法。
【請求項２４】
（ｉ）前記クランプハウジングは、第１のハウジングガイド要素及び第２のハウジングガイド要素をさらに備えており、前記第１の顎部材は、第１の顎部材ガイド要素をさらに備えており、前記第２の顎部材は、第２の顎部材ガイド要素をさらに備えており、（ｉｉ）前記第１の顎部材を再配置することは、前記第１のハウジングガイド要素を前記第１の顎部材ガイド要素と物理的に連結させ、前記第１の顎部材を前記第１の顎閉位置に案内することに役立つようにすることを備えており、（ｉｉｉ）前記第２の顎部材を再配置することは、前記第２のハウジングガイド要素を前記第２の顎部材ガイド要素と物理的に連結させ、前記第２の顎部材を前記第２の顎閉位置に案内することに役立つようにすることを備えている、請求項２３に記載の方法。
【請求項２５】
（ｉ）前記第１のハウジングガイド要素は、第１の凹所軌道を備えており、前記第２のハウジングガイド要素は、第２の凹所軌道を備えており、（ｉｉ）前記第１の顎部材ガイド要素は、第１のガイドピンを備えており、前記第２の顎部材ガイド要素は、第２のガイドピンを備えており、（ｉｉｉ）前記第１の顎部材ガイド要素と物理的に連結している前記第１のハウジングガイド要素は、前記第１の凹所軌道の中で摺動する前記第１のガイドピンを備えており、前記第２の顎部材ガイド要素と物理的に連結している前記第２のハウジングガイド要素は、前記第２の凹所軌道の中で摺動する前記第２のガイドピンを備えている、請求項２４に記載の方法。
【請求項２６】
前記閉じる方向は、概ね水平である、請求項１９に記載の方法。
【請求項２７】
前記第１の顎部分的閉位置は、前記第１の顎部材は、前記クランプハウジングののど状区域内に配置されるとき、前記寝台の横板が前記クランプハウジングののど状区域から出ることを妨げないが、前記クランプハウジングの第１の寝台横板表面は、前記寝台の横板の前記概ね垂直な外面と係合しておらず、かつ／又は前記第１の顎部材の第２の寝台横板部は、前記寝台の横板の前記概ね垂直な内面と係合していない、位置である、請求項１９に記載の方法。
【請求項２８】
前記作動部材を前記クランプ開位置から前記クランプ閉位置まで閉じる方向に動かすことは、前記第１の顎部材を、前記第１の顎部材を前記閉じる方向に平行移動することと、前記第１の顎部材を枢動することとの両方を介して、前記第１の顎閉位置に再配置する、請求項１９に記載の方法。
【請求項２９】
装備品が所望の位置に至るまで手術／医療用寝台の横板の端から寝台の横板用クランプを摺動させる必要なしに、前記装備品を前記手術／医療用寝台の横板の前記所望の位置に取り付けるための寝台の横板用クランプであって、
（ａ）第１の寝台横板表面を有していて、前記手術／医療用寝台の横板を受け入れるように構成されているのど状区域を含むクランプハウジングと、
（ｂ）前記クランプハウジングに連結していて、クランプ開位置とクランプ閉位置との間で前記クランプハウジングに対して動くように構成されている作動部材であって、前記手術／医療用寝台の横板が前記クランプハウジングののど状区域内にあるときには、前記作動部材は、前記クランプ閉位置にあるときより前記クランプ開位置にあるときの方が前記寝台の横板に近くなる、作動部材と、
（ｃ）前記作動部材と連結しており、前記クランプハウジングによって収容されている、第１の顎部材であって、前記第１の顎部材が、第１の表面を備えている第１の寝台横板部と、前記第１の表面と概ね直角な第２の表面を備えている第２の寝台横板部とを含んでいる、第１の顎部材と、
（ｄ）前記作動部材が前記クランプ開位置から前記クランプ閉位置まで閉じる方向に動く際に、（Ａ）前記第１の顎部材が、前記手術／医療用寝台の横板が前記クランプハウジングののど状区域に出入りするのを妨げない第１の顎開位置から（Ｂ）前記手術／医療用寝台の横板がクランプハウジングののど状区域内にあるとき前記クランプハウジングの第１の寝台横板表面が前記手術／医療用寝台の横板の概ね垂直な外面と係合する第１の顎閉位置まで、前記クランプハウジングに対して前記第１の顎部材を移動させるための第１の案内手段であって、前記第１の顎部材の第１の寝台横板部は、前記手術／医療用寝台の横板の概ね水平な上面又は下面に近接して配置されており、前記第１の顎部材の第２の寝台横板部は、前記手術／医療用寝台の横板の概ね垂直な内面と係合している、第一の案内手段と、を備えている、寝台の横板用クランプ。
【請求項３０】
前記第１の案内手段は、（ｉ）まず、前記第１の顎部材を前記第１の顎開位置から再配置することであって、第１の顎部分的閉位置まで再配置することであって、前記第１の顎部材が前記第１の顎部分的閉位置において、前記第１の顎部材は、前記クランプハウジングののど状区域内に配置されるとき、前記寝台の横板が前記クランプハウジングののど状区域から出ることを妨げるが、前記クランプハウジングの第１の寝台横板表面は、前記寝台の横板の前記概ね垂直な外面と係合しておらず、かつ／又は前記第１の顎部材の第２の寝台横板部は、前記寝台の横板の前記概ね垂直な内面と係合していない、前記第１の顎部材を再配置し、（ｉｉ）次に、前記第１の顎部材を、前記第１の顎部分的閉位置から前記第１の顎閉位置まで前記第１の顎部材を前記閉じる方向に平行移動させることのみを介して再配置して、前記第１の顎開位置から前記第１の顎閉位置まで前記クランプハウジングに対して前記第１の顎部材を再配置する、請求項２９に記載の寝台の横板用クランプ。
【請求項３１】
（ｅ）前記作動部材と連結されており、前記クランプハウジングに収容されている第２の顎部材であって、前記第２の顎部材は、第３及び第４の寝台横板部を含んでいる、第２の顎部材と、
（ｄ）前記作動部材が前記クランプ開位置から前記クランプ閉位置まで前記閉じる方向に動く際に、（Ａ）前記第２の顎部材が、前記寝台の横板が前記クランプハウジングののど状区域に出入りするのを妨げない第２の顎開位置から（Ｂ）前記寝台の横板がクランプハウジングののど状区域内にあるとき前記クランプハウジングの第１の寝台横板表面が前記寝台の横板の前記概ね垂直な外面と係合する第２の顎閉位置まで、前記クランプハウジングに対して前記第２の顎部材を再配置するための第２の案内手段であって、前記第２の顎部材の第３の寝台横板部は、前記第１の顎部材が前記第１の顎閉位置にあるとき、前記第１の顎部材の第１の寝台横板部に近接して配置されていない前記寝台の横板の前記概ね水平な上面又は下面のどちらかに近接して配置されており、前記第２の顎部材の第４の寝台横板部は、前記寝台の横板の前記概ね垂直な内面と係合している、第２の案内手段と、をさらに備えている、請求項２９に記載の寝台の横板用クランプ。
【請求項３２】
前記閉じる方向は、概ね水平である、請求項２９に記載の寝台の横板用クランプ。
【請求項３３】
（ｅ）前記作動部材を前記クランプ開位置と前記クランプ閉位置の間で移動させるためのハンドル手段をさらに備えている、請求項２９に記載の寝台の横板用クランプ。
【発明の詳細な説明】
【技術分野】
【０００１】
本出願は、２０１０年１１月２３日出願の米国仮特許出願第６１／４１６，６４９号に対する優先権を主張し、同仮出願の全てを参考文献としてここに援用する。
【０００２】
本出願は、概略的には、医療用装備品を手術／医療用寝台の横板に取り付けることに関する。
【背景技術】
【０００３】
手術（又は関連する医学的な）処置には、通常、さまざまな器具、モニタ及び他の装備品が必要である。そのような装備品の例として、手術トレイテーブル、各種センサ用ホルダー及び他の器材、造影剤注射器、などが含まれる。多くのそのような装備品では、装備品が手術室の中でどこに配置されるのかということが、装備品が効率的に機能する程度に大きな影響を与える可能性がある。さらに、手術／医療の処置中に、複数回位置を動かされなければならない装備品が多い。
【０００４】
多くの場合、医療用の装備品を手術／医療用寝台の横板に取り付けることが（必須ではない場合）所望される。例えば、いくつかのセンサは、患者の解剖学的構造の一部に対して特定の高さに（例えば、患者の心臓の正中線と同じレベルで）保たれなければならない。このような場合には、装備品を手術／医療用寝台の横板に取り付けることで、処置中に手術／医療用寝台を上下する際も、関連部品の位置に対する患者の解剖学的構造の装備品の位置を変わらず確実に保ち続けることができる。
【０００５】
装備品を横板に取り付けるための横板用クランプが開発されてきたが、ほとんどは、横板の端と係合し、その後で所望の位置に摺動されるように構成されたものであった。そのような横板用クランプは、一部の状況では有用な場合もあるものの、多くの状況では、重大な欠点を点の欠点を呈するものである。そのような寝台の横板用クランプに関する一般的な問題は、複数の装備品を手術上の／医療的な処置中に寝台の横板に取り付ける必要のあるときに発生する。例えば、そのような２つの横板用クランプが横板にすでに配置されていて、さらに第３の横板用クランプを最初の２つの間に配置する必要がある場合、第３の横板用クランプを所定の位置まで動かすことが非常に難しい可能性がある。まず、最初の２つの横板用クランプのうちの１つを、横板の端まで摺動し取り外すことによって取り外す必要がある。次に、第３の横板用クランプを、横板の端から所望の位置まで摺動させて戻す必要があり、それから、先に取り付けていた横板用クランプを元の場所に再配置する必要がある。より多くの装備品を同じ横板に取り付けなければならないとき、この問題はまさに大きくなる。
【０００６】
以前に述べた横板用クランプに関連する難点を回避する試みとして、いくつかの横板用クランプが開発されてきた。そのような横板用クランプの例は、米国特許第４，９０１，９６４号及び米国特許第７，５２０，００７号で論述されている。しかしながら、そのような横板用クランプは、多くの手術／医療用装備品を十分に支持するのに必要な安定性を提供するものではない。さらに、そのような横板用クランプは、操作するのが非常に難しい可能性があり、結果的に、取付け具の安定性がさらに低下し、横板への損傷が生じることになる。
【先行技術文献】
【特許文献】
【０００７】
【特許文献１】米国特許第４，９０１，９６４号
【特許文献２】米国特許第７，５２０，００７号
【発明の概要】
【０００８】
本発明の実施形態は、作動部材によって、位置決め可能な１つ以上の顎部材を有する寝台の横板用クランプを提供し、この作動部材は、寝台横板をクランプハウジングに対して固定するために、顎部材を寝台横板の方へ移動（例えば、枢動）させ、顎部材を後方に引いて寝台横板と接触させるように、寝台横板から離れて移動するように構成される。多くの実施形態において、顎部材を寝台横板の方へ移動させて、それから顎部材を引いて寝台横板と接触させることにより、寝台の横板用クランプが異なる幅の寝台横板に適応することが可能になる。顎部材を、比較的広い寝台横板に係合するためには比較的短い距離後方に引かれればよく、比較的狭い寝台横板に係合するには比較的長い距離引かれればよい。好適な実施形態では、寝台の横板用クランプは、６．４ｍｍ（１／４インチ）から１２．７ｍｍ（１／２インチ）の範囲の幅の寝台横板に適合することができる。
【０００９】
好適な実施形態では、寝台の横板用クランプは、寝台横板の内面及び外面に対して押圧することで締め付けを成し遂げる。そのような実施形態では、締付け荷重が内側及び外側の寝台横板表面の比較的大きい区間全体に分散されることで、安定性を増し、寝台横板に損傷を与える可能性のある激しい力を回避する。そのような激しい力によって生じる損傷を、多くの場合、特に受けやすい寝台横板の部品は、寝台横板の縁部である。圧縮力が寝台横板の縁部に印加されると、縁部が丸みを帯びてくる可能性があり、このことは、従来式のクランプが縁部に沿って摺動することをさらに困難にする可能性がある（加えて、他の問題を発生させる）。
【００１０】
以下の図面は本発明の具体例を例示しており、それゆえ、本発明の範囲を制限するものではない。図面は、（そのような記述がない限り）正確な縮尺ではなく、下記の詳細な記述における説明に関連した使用を意図したものである。本発明の実施形態は、下文において添付の図面と関連づけながら説明され、類似した番号は類似した要素を示している。
【図面の簡単な説明】
【００１１】
【図１】寝台横板にさまざまな装備品が取り付けられた手術／医療用寝台である。
【図２Ａ】本発明の実施形態による１つ顎型寝台横板用クランプの側面の概略図であり、クランプハウジングの半分が取り除かれており、寝台横板用クランプ部材が、顎開位置にある。
【図２Ｂ】図２Ａの１つ顎型寝台横板用クランプの側面の概略図であり、寝台横板用クランプの顎部材が顎部分的閉位置にある。
【図２Ｃ】図２Ａの１つ顎型寝台横板用クランプの側面の概略図であり、寝台横板用クランプの顎部材が顎閉位置にある。
【図３Ａ】本発明の実施形態による１つ顎型寝台横板用クランプの斜視図であり、クランプハウジングの半分が取り除かれている。
【図３Ｂ】図３Ａの１つ顎型寝台横板用クランプの側面図である。
【図４】本発明の実施形態による２つ顎型顎寝台横板用クランプの分解図である。
【図５Ａ】本発明の実施形態による２つ顎型寝台横板用クランプの斜視図であり、クランプハウジングの半分が取り除かれている。
【図５Ｂ】図５Ａの２つ顎型寝台横板用クランプの側面図である。
【図６Ａ】本発明の実施形態による２つ顎型寝台横板用クランプの側面の概略図であり、クランプハウジングの半分が取り除かれており、寝台横板用クランプの顎部材が、顎開位置にある。
【図６Ｂ】図６Ａの２つ顎型寝台横板用クランプの側面の概略図であり、寝台横板用クランプの顎部材が、顎部分的閉位置にある。
【図６Ｃ】図６Ａの２つ顎型寝台横板用クランプの側面の概略図であり、寝台横板用クランプの顎部材が、顎閉位置にある。
【図７】本発明の実施形態による寝台横板用クランプの斜視図である。
【図８Ａ】本発明の実施形態による１つ顎型寝台横板用クランプの一部の側面の概略図であり、寝台横板用クランプの顎部材が、顎開位置にある。
【図８Ｂ】図８Ａの１つ顎型寝台横板用クランプの一部の側面の概略図であり、寝台横板用クランプの顎部材が、顎部分的閉位置にある。
【図８Ｃ】図８Ａの１つ顎型寝台横板用クランプの一部の側面の概略図であり、寝台横板用クランプの顎部材が、顎閉位置にある。
【発明を実施するための形態】
【００１２】
以下の詳細な説明は、例証的な性質のものであり、決して、本発明の範囲、適用性又は構成を制限することを意図したものではない。むしろ、以下の説明は、本発明の例示的な実施形態を実施するための実際的な具体例を提供する。構造、材料、寸法及び製造工程の例が選択された要素のために提供され、他の要素は全て、本発明の当業者にとって既知のものを用いるものとする。当業者であれば、提供している実施例の多くには、利用可能である適切な代替物があることを認識するであろう。
【００１３】
図１は、さまざまな装備品（トレイテーブル５０２、モニタ５０４及び保持具５０６）が取り付けられる寝台横板１０を有する手術／医療用寝台５００を具備する手術室の実例を示す。図示のように、従来型の寝台横板用クランプしか入手可能ではなく、付加的な装備品をモニタ５０４と保持具５０６の間に配置する必要がある場合には、まず、保持具５０６を寝台横板１０の端５０８に摺動させて取り外す必要がある。そのあとでなければ、付加的な装備品をモニタ５０４と保持具５０６の間に配置することはできない。その後、保持具５０６を寝台横板１０の端５０８と係合させて所定の位置に摺動して戻す必要がある。モニタ５０４をトレイテーブル５０２の反対側に再配置する必要がある場合にも、同様の状況が起こることになる。その場合、トレイテーブル５０２及びモニタ５０４を両方とも、寝台横板１０の端５１０に摺動させて取り外し、次いで位置を逆にする。
【００１４】
本発明の実施形態では、すでに寝台横板１０に取り付けられているいかなる装備品の位置も変えずに、装備品を寝台横板１０沿いの任意の空いている位置に配置及び再配置することができる。前述した実施例では、付加的な装備品をモニタ５０４と保持具５０６の間に配置する必要がある場合、モニタ５０４及び保持具５０６の位置に対処することもなく、その位置内に単に取り付けることができる。同様に、モニタ５０４をトレイテーブル５０２の反対側に再配置する必要がある場合、モニタ５０４は、トレイテーブル５０２の位置に対処することもなく、単に今ある位置か取り外してトレイテーブル５０２の反対側に取り付けることができる。
【００１５】
図２Ａ〜２Ｃは、本発明の実施形態による寝台横板用クランプ５を示す。寝台横板用クランプ５は、装備品が所望の位置に至るまで寝台横板１０の端から寝台横板用クランプ５を摺動させる必要なく、装備品を手術／医療用寝台の寝台横板１０の所望の位置に取り付けることができる。前述のように、寝台横板用クランプ５は、他のもので塞がれていない、寝台横板１０沿いのいかなる場所にも配置することができ、この配置は、寝台横板１０に取り付けられてもよいどのような他の装備品又は関連する寝台横板用クランプの配置を変更する必要もなしに行うことができる。図２Ａ〜２Ｃの寝台横板用クランプ５は、クランプハウジング１５と、クランプハウジング１５と連結した作動部材２０と、作動部材２０と枢動可能に連結され、クランプハウジング１５に収容されている顎部材２５とを含む。
【００１６】
名前が示唆するように、クランプハウジング１５は、寝台横板用クランプ５の他の構成要素を収容することができる。多くの実施形態では、クランプハウジング１５は、概ねＣ字形をしており、のど状区域３０を含んでいる。寝台横板用クランプ５を寝台横板１０に取り付ける場合、のど状区域３０は、寝台横板１０を受容することができ、その後寝台横板用クランプ５を閉じることができる（さらに詳細に後述するように）。図２Ａ〜２Ｃに示されるクランプハウジング１５ののど状区域３０は、３つの寝台横板表面３５、３６、３７を含む。クランプハウジング１５はハウジングガイド要素を含むことができ、これについては後でさらに詳細に述べる。
【００１７】
寝台横板用クランプ５の作動部材２０は、寝台横板用クランプ５の開閉を調整することができる。作動部材２０は、クランプ開位置（図２Ａ）とクランプ閉位置（図２Ｃ）の間でクランプハウジング１５に対して動くように構成することができる。寝台横板１０がクランプハウジングののど状区域３０内にあるとき、作動部材２０は、クランプ開位置において、クランプ閉位置にあるときより寝台横板１０に近くすることができる。したがって、クランプ開位置からクランプ閉位置へ行くために、作動部材２０は、閉じる方向に動かなければならず、その方向は、図２Ａ〜２ＣでＣＤと示される。また、クランプ閉位置からクランプ開位置へ行くために、作動部材２０は、開く方向に動かなければならず、その方向は、図２Ａ〜２ＣでＯＤと示される。好適な実施形態では、閉じる方向ＣＤ、開く方向ＯＤ、又はその両方は概ね水平である。
【００１８】
寝台横板用クランプ５の顎部材２５は、作動部材２０の移動に基づいて、顎開位置と顎閉位置の間で動くことができる。顎部材２５は、使用中に寝台横板１０と相互作用するように構成されている寝台横板部４５、５０を含んでいる。図示のように、寝台横板部４５は、第１の表面を有しており、寝台横板部５０は、第１の表面と概ね直角をなす第２の表面を有している。顎部材２５が顎閉位置にあるとき、寝台横板部４５は、寝台横板１０に近接して配置される（すなわち、寝台横板１０に接触して、又は寝台横板１０に接触せずに寝台横板付近に配置される）ように構成することができる。顎部材２５が顎閉位置にあるとき、寝台横板部５０は、寝台横板１０と係合するように構成することができる。顎部材２５は、ガイド要素を含むことができ、これについては後でさらに詳細に述べる。
【００１９】
図２Ａは、顎開位置にある顎部材２５を示す。図示のように、顎部材２５は、寝台横板１０がクランプハウジングののど状区域３０に出入りするのを妨げない。寝台横板用クランプ５が図２Ａ〜２Ｃ内に示すように配向されるとき、顎部材２５の入口先端２２は、寝台横板１０がのど状区域３０に入る場所でもあるクランプハウジングの寝台横板表面３７と同じ高さ、又はそれより下方に配置することができる。多くの実施形態において、顎開位置では、顎部材２５の入口先端２２を、クランプハウジングの寝台横板表面３６から間隔をあけて垂直方向に十分離れて配置することができるので、寝台横板１０がのど状区域３０に入ることができるようになっている。２つの一般的な寝台横板の高さは、２．５４ｃｍ（１インチ）及び２５ｃｍである。いくつかの好適な実施形態では、クランプハウジングののど状区域３０の高さは、それらの一般的な寝台横板の高さよりわずかに大きい。多くのそのような実施形態では、寝台横板表面３６から寝台横板表面３７までの垂直距離は、それらの一般的な寝台横板の高さよりわずかに大きい。いくつかの好適な実施形態では、顎部材２５が顎開位置にあるとき、クランプハウジングの寝台横板表面３６から顎部材２５の入口先端２２までの垂直距離は、一般的な寝台横板の高さよりわずかに大きい。
【００２０】
好適な実施形態では、顎部材２５は、顎部分的閉位置まで動くことができ、この顎部分的閉位置は、図２Ｂに示すように、顎開位置と顎閉位置の間にある。顎部分的閉位置では、顎部材２５は、クランプハウジングののど状区域３０内に配置されているとき、寝台横板１０がクランプハウジングののど状区域３０に出入りするのを妨げる。顎部材２５の入口先端２２は、入口先端２２とクランプハウジング１５の寝台横板表面３６との間の垂直距離が寝台横板１０の高さより小さくなるような位置に移動することができる。しかし、顎部分的閉位置では、寝台横板用クランプ５の顎部材２５は、寝台横板１０と完全に係合していない。すなわち、クランプハウジングの寝台横板表面３５が寝台横板１０の外面６０と係合していないか、又は、顎部材２５の寝台横板部５０が寝台横板１０の内面７５と係合していない（あるいはその両方）。いくつかの例では、寝台横板用クランプ５は、顎部材２５が顎部分的閉位置にあるときでも、寝台横板１０をのど状区域３０から取り外すことができるように、回転することができる。寝台横板表面３５と外面６０との間の間隙に寝台横板部５０と内面７５との間の間隙を加えた合計が、顎部材を顎閉位置まで動かすのに顎部材２５を閉じる方向に平行移動させなければならない距離となる。
【００２１】
図２Ｃは、顎閉位置にある顎部材２５を示す。図示のように、寝台横板１０がクランプハウジングののど状区域３０内に配置されるとき、顎部材２５及びクランプハウジング１５は、寝台横板１０と係合することができる。クランプハウジングの寝台横板表面３５は、寝台横板１０の概ね垂直の外面６０と係合することができる。顎部材２５の寝台横板部４５は、概ね水平な上面６５又は寝台横板１０の概ね水平な下面７０に近接して配置することができる。すなわち、寝台横板用クランプ５は、図２Ａ〜２Ｃで示される配向で使用することができ、その場合、顎部材２５は、寝台横板１０の下面７０に近接して配置される。又は、寝台横板用クランプ５は、上下逆さまにすることもでき、顎部材２５が寝台横板１０の上面６５に近接して配置されることになる。クランプハウジング１５の寝台横板表面３６は、寝台横板１０の上面又は下面６５、７０のどちらかに近接して配置することができ、寝台横板部４５に近接して配置されない。多くの場合、図２Ａ〜２Ｃの配向は、寝台横板表面３６と上面６５に近接して配置され、寝台横板部４５は下面７０に近接して配置されており、好適な配向である。上記のように、顎部材２５の寝台横板部５０は、顎閉位置では、寝台横板１０の概ね垂直な内面７５と係合することができる。
【００２２】
多くの実施形態では、寝台横板用クランプ５を閉じることは、力を寝台横板１０の少なくとも内面及び外面７５、６０に印加することが必要である。上記のように、好適な実施形態では、顎部材２５の寝台横板部４５、５０は各々、互いに対して垂直な、概ね平坦な表面を備えている。このようにして、寝台横板部５０は、寝台横板１０の内面７５と実質的に同一平面上とすることができ、クランプハウジング１５の寝台横板表面３６は、寝台横板１０の上面６５（又は下面７０）と実質的に同一平面上とすることができる。このようにして、締付け荷重は内側及び外側の寝台横板表面７５、６０の比較的大きい区間全体に分散されることで、安定性が増し、寝台横板に損傷を与える可能性のあるより激しい力を回避する。寝台横板用クランプ５を寝台横板１０に満足に固定するための、多数の構成が可能である。
【００２３】
図２Ａ〜２Ｃの寝台横板用クランプ５は、ハンドルアッセンブリ８０を更に含み、これは、ユーザーが、このハンドルで寝台横板用クランプ５を操作することを可能にする。図示のように、ハンドルアッセンブリ８０は、ハンドル８２と、クランプハウジング１５によって収納されるハンドルシャフト８４とを含む。ハンドルシャフト８４は、ハンドル８２と連結する近位端８６を有することができる。ハンドルシャフト８４は、作動部材２０と連結する遠位端８８を有することができる。
【００２４】
ハンドルアッセンブリ８０は、様々な形態を取ることができる。いくつかの実施形態では、ハンドルアッセンブリ８０は、クランプハウジング１５に取り付けられ、ハンドルアッセンブリ８０に対して作動部材２０を動かすことによって、作動部材２０とクランプハウジング１５との相対的な動きを提供する。そのような実施形態の実施例は図２Ａ〜２Ｃに示され、ハンドル８２はノブを備えており、ハンドルシャフト８４の遠位端８８は作動部材２０にねじ連結されている。そのような実施形態では、ノブを回して、作動部材２０をクランプ開位置とクランプ閉位置の間で移動させることができる。
【００２５】
いくつかの実施形態では、ハンドルアッセンブリを作動部材に取り付けることができ、ハンドルアッセンブリに対してクランプハウジングが動くことによって、作動部材とクランプハウジングとの間に相対的な動きを提供することができる。例えば、ハンドルシャフト及びクランプハウジングは補完的なばね付勢ラチェット構成要素を含んでいてもよく、これは、ハンドル及びハンドルシャフトが作動部材をクランプ開位置とクランプ閉位置の間で動かすことができるように構成することができる。そういった実施形態では、ハンドル及びハンドルシャフトは、クランプ開位置からクランプ閉位置までラチェット様式で作動部材を動かすように構成されている。そのような実施形態では、ハンドル及びハンドルシャフトは、補完的なばね付勢ラチェット構成要素を解放すると、クランプ閉位置からクランプ開位置までばね力で作動部材を動かすように構成することができる。別の例では、ハンドルは、カミングラッチを備えることができ、このラッチは、クランプハウジングに対するカムが、カミングラッチ開位置とカミングラッチ閉位置の間を移動するように構成されている。そういった実施形態では、カミングラッチがカミングラッチ開位置からカミングラッチ閉位置まで動く際に、カミングラッチは、作動部材をクランプ開位置からクランプ閉位置まで動かすように構成される。
【００２６】
顎部材２５と作動部材２０とを連結する枢動可能な継手は、様々な形態をとることができる。枢転可能な継手は、図４を参照して論ずるが、図４では、１つ顎型又は２つ顎型寝台横板用クランプで実施することができる構成を示す。顎部材２５は、クランプハウジング１５の寝台横板表面３５と概ね平行に延在するピボットホール２４を含むことができる。そういった実施形態内に、作動部材２０は、枢動ピン２７を含むことができ、枢動ピンは、顎部材のピボットホール２４の中に延在することで、顎部材２５を作動部材２０と枢動可能に連結している。枢動ピン２７は顎部材２５と一体化されていても、作動部材２０と一体化されていてもよく、あるいは、別個の構成要素であってもよい（その場合、顎部材２５及び作動部材の両方が枢動穴を有することになる）。いくつかの好適な実施形態では、顎部材２５は、作動部材２０にまたがるように構成される２つの取付け部材２９を含むことができ、別々のヒンジピンが継手を提供することで、顎部材２５が作動部材に対して枢動することができるようになっている。作動部材２０にまたがっている顎部材の取付け部材２９は、顎開位置と顎閉位置の間に延在する水平軸の周囲で作動部材２０を回転させがちな力を最小限に抑えることができる。図４の分解図は、作動部材２０及び顎部材２５に関連する枢動ピン２７、ピボットホール２４、取付け部材２９の好適な配置を示す。
【００２７】
図２Ａ〜２Ｃを再度参照すると、顎部材２５及び作動部材２０の両方をクランプハウジング１５に対して平行移動させることができる。いくつかの好適な実施形態では、枢動ピン２７によって、顎部材２５が作動部材２０に対して枢動可能になっていて、クランプハウジング１５が、閉じる方向ＣＤと概ね平行に延在している凹所軌道２８を含むことができる。そういった実施形態では、枢動ピン２７は、顎部材２５を越えてクランプハウジングの凹所軌道２８の中に延在することができる。そういった実施形態では、枢動ピン２７は、クランプハウジングの凹所軌道２８の中で摺動するように構成することができ、作動部材２０及び顎部材２５がクランプハウジング１５に対して平行移動することができる。いくつかの実施形態では、クランプハウジング１５の構造は、開位置と閉位置の間で平行移動する顎部材２５及び作動部材２０を案内するように構成されていてもよい。
【００２８】
多くの実施形態では、クランプハウジング１５に対する顎部材２５の動きは、クランプハウジングのガイド要素と物理的に連結している顎部材のガイド要素によって方向付けられてもよい。図２Ａ〜２Ｃに示すように、クランプハウジングのガイド要素は、凹所軌道４０であり、顎部材のガイド要素は、ガイドピン５５である。図４の分解図は、凹所軌道４０及びガイドピン５５の好適な配置（２つ顎型寝台横板用クランプの状況であるが）を示す。図２Ａ〜２Ｃを再度参照すると、クランプハウジング１５に対する顎部材２５の動きは、凹所軌道４０の中で摺動するガイドピン５５によって案内される。好適な実施態様では、凹所軌道４０は、閉じる方向ＣＤと概ね平行な第１の区分４１と、第１の区分４１と概ね鈍角の角度を成す第２の区分４２と、を含んでいてもよい。いくつかの実施形態では、凹所軌道４０の第２の区分４２は、湾曲していてもよい。そのような実施形態では、第１の区分４１は、通常、直線を保ち、クランプハウジング１５に対する顎部材２５の平行移動を案内する。上記の如く、運動は、通常、顎開位置から顎部分的閉位置、それから顎閉位置まで（逆も同じく）ガイド要素によって案内される。
【００２９】
クランプハウジングのガイド要素及び顎部材のガイド要素は、様々な形態をとることができる。例えば、顎部材２５は、凹所軌道を含むことができ、クランプハウジング１５は、ガイドピンを含むことができる。別の例では、顎部材２５及びクランプハウジング１５は共に、凹所軌道を含むことができ、両方の凹所軌道の中には、動きを案内するために１つ以上のボールベアリングを配置することができる。クランプハウジング１５の構造及び顎部材２５の構造は、補完的な特徴（例えば、曲線、角度の付いた区分など）を含んでいて、作動部材２０が動く際に動きを案内することができる。図８Ａ〜８Ｃは、そのような構成の実施例を提供する。図８Ａ〜８Ｃでは、クランプハウジング１５’は、その内部に画定される案内レールを含むことができ、顎部材２５’構造体自体が、顎開位置と顎閉位置の間でそのレールに沿って進むことができる。図示のように、ばね２３は、そばに顎閉位置から顎開位置付近まで動くことを支援することができる。図８Ａ〜８Ｃの構成及び他の同様な構成（例えば、顎部材を枢動することを含むような）を同様に２つ顎型クランプにも組み込んでもよい。
【００３０】
使用中、作動部材２０及び顎部材２５は共に、開位置と閉位置の間を移動することができる。作動部材２０がクランプ開位置からクランプ閉位置まで閉じる方向ＣＤに移動する際、顎部材のガイド要素及びクランプハウジングのガイド要素が物理的に連結していることで、顎部材２５を顎開位置から顎閉位置まで再配置することができる。そのような物理的な連結は、顎部材２５を閉じる方向ＣＤに平行移動させ、かつ顎部材２５を枢動させる両方のことができ、顎部材２５を顎開位置から顎閉位置まで再配置する。多くの実施形態では、顎部材２５の第１の移動は、平行移動及び回転を伴い、顎部材２５の第２の移動は、平行移動のみを伴っている。図２Ａ〜２Ｃに示すように、ガイドピン５５は、顎開位置と顎閉位置の間、凹所軌道４０の中で摺動する。
【００３１】
そういった実施形態では、作動部材２０が閉じる方向ＣＤに移動することで、顎部材２５を、まず、顎開位置から顎部分的閉位置まで、次に、顎部分的閉位置から顎閉位置まで再配置させる。好適な実施形態では、顎部材２５を顎開位置から顎部分的閉位置まで再配置させることは、顎部材２５を閉じる方向ＣＤに平行移動し、顎部材２５を枢動することの両方を含む。そういった実施形態では、顎部材２５を枢動することは、そのような回転に抗するばね力に打ち勝つことを含むことができる。好適な実施形態では、顎部材２５を顎部分的閉位置から顎閉位置まで再配置することは、顎部材２５を閉じる方向ＣＤに平行移動することだけを含む。上記のように、図２Ａは、顎開位置にある顎部材２５を示し、図２Ｂは、顎部分的閉位置にある顎部材２５を示し、図２Ｃは、顎閉位置にある顎部材２５を示す。
【００３２】
図５Ａ〜５Ｂは、本明細書において他で述べている装備品を支持するように構成される装備品取付け支柱７６を備える寝台横板用クランプ５０５を示す。図示のように、装備品取付け支柱７６は、クランプハウジング１５によって収容される近位端を含む。装備品取付け支柱７６は、寝台横板１０がクランプハウジングののど状区域３０内にあり、顎部材２５が第１の顎閉位置内にあるとき、クランプハウジング１５から離れて寝台横板１０の上方に延在する遠位端も含んでいる。いくつかの実施形態では、装備品は、寝台横板用クランプに予め取り付けることができる。いくつかの実施形態では、寝台横板用クランプが寝台横板に取り付けられたあとで、装備品を寝台横板用クランプに取り付ける必要がある。
【００３３】
図６Ａ〜６Ｃは、図２Ａ〜２Ｃで示したものと類似の寝台横板用クランプ１０５を示しているが、寝台横板用クランプ１０５が２つの顎部材２５、２６を含んでいるという点が異なっている。顎部材２５と同様に、図６Ａ〜６Ｃの顎部材２６は、枢動可能に作動部材２０に連結され、クランプハウジング１５によって収容されている。顎部材２６及び作動部材２０の枢転可能な結合は、顎部材２５及び作動部材２０の枢転可能な結合に関連して本明細書において他で述べている類似の属性を有することができる。顎部材２６は、作動部材２０の移動に基づいて、顎開位置（図６Ａ）、顎部分的閉位置（図６Ｂ）及び顎閉位置（図６Ｃ）の間を移動することができる。図示のように、顎部材２６は、使用時に、寝台横板１０と相互作用するように構成される寝台横板部４６、５１を含んでいる。顎部材２６は、ガイド要素を含んでいてもよく、ガイド要素は、使用時に、クランプハウジング１５にある対応するガイド要素と物理的に連結することができる。顎部材２６のガイド要素及びクランプハウジング１５のガイド要素は、本明細書において他で述べているガイド要素と類似の属性を有することができる。ほとんどの実施形態では、２つのガイド要素の組合せが異なる可能性があるが、顎部材２５及びクランプハウジング１５のガイド要素組合せは顎部材２６及びクランプハウジングのガイド要素組合せと同一である。
【００３４】
顎部材２６の顎開位置及び顎閉位置は、図２Ａ〜２Ｃに関連して先に述べているように、顎部材２５の顎開及び閉位置と類似している。図６Ａ〜６Ｃを再度参照すると、顎開位置では、顎部材２６は、寝台横板１０がクランプハウジングののど状区域３０に出入りするのを妨げない。顎閉位置では、クランプハウジングの寝台横板表面３５は、寝台横板１０の外面６０と係合することができる。さらに、顎部材２６の寝台横板部４６は、顎閉位置にあるときに、顎部材２５の寝台横板部４５に近接して配置されていない寝台横板１０上面６５又は下面７０のどちらかに近接して配置することができる。その上、寝台横板部５１は、寝台横板１０の内面７５とさらに係合することもできる。
【００３５】
使用中、図６Ａ〜６Ｃの寝台横板用クランプ１０５は、図２Ａ〜２Ｃの寝台横板用クランプと同様に作動する。図６Ａ〜６Ｃを再度参照すると、作動部材２０がクランプ開位置からクランプ閉位置まで閉じる方向ＣＤに移動する際に、顎部材２５及び顎部材２６は共に、顎開位置から顎閉位置まで再配置される。顎部材２５のガイド要素は、クランプハウジングの第１のガイド要素と物理的に連結していて、顎部材２５を再配置することができ、顎部材２６のガイド要素は、クランプハウジングの第２のガイド要素と物理的に連結していて、顎部材２６を再配置することができる。どちらの場合も、そのような再配置では、閉じる方向ＣＤに顎部材２５、２６を平行移動すること及び顎部材２５、２６を枢動させることの両方が行われる。
【００３６】
図７は、本発明の実施形態による寝台横板クランプアッセンブリ７００を示す。図示のように、寝台横板クランプアッセンブリ７００は、Ｃブロック７０６によって離隔される２つのクランプ７０２、７０４を含んでいる。クランプ７０２、７０４は、本明細書において述べられる他のクランプ（例えば、図２Ａ〜２Ｃの寝台横板用クランプ５、図６Ａ〜６Ｃの寝台横板用クランプ１０５など）と同様に構築することができて、かつ作動することができる。図７を再度参照すると、寝台横板クランプアッセンブリ７００は、より大型の装備品を医療用の設定で寝台横板に締め付けるのに使用することができる。そのような大型の装備品の実施例として、造影剤注入器が挙げられる。そのより大きい接触地域及びその複数のクランプ７０２、７０４を考慮すると、寝台横板用クランプ７００は、より大型の装備品を支持するのに安定性を大幅に増すことができる。クランプ７０２と７０４との間の距離、したがってＣブロック７０６の大きさは、個々の用途に基づいて決めることができる。いくつかの実施形態では、Ｃブロック以外のスペーサー部材（例えば、ロッド、上部及び下部の基板サポート部材、など）を用いることができる。
【００３７】
本発明の態様は、装備品を寝台横板の端から所望の場所まで摺動させる必要なく、装備品を手術／医療用寝台の寝台横板の所望の位置に取り付ける方法を含む。本明細書において述べているような寝台横板用クランプは、手術／医療用環境に提供することができる。いくつかの例では、装備品は、寝台横板用クランプが寝台横板に取り付けられる前に寝台横板用クランプに取り付けられる。いくつかの例では、装備品は、寝台横板用クランプが寝台横板に取り付けられた後に寝台横板用クランプに取り付ける必要がある。いずれにせよ、操作者は、寝台横板用クランプの作動部材がクランプ開位置にあることと、あらゆる顎部材も顎開位置にあることと、を確実にすることができる。作動部材のクランプ開位置及び１つ又は複数の顎部材の顎開位置について、本明細書の他でさらに詳細に述べられている。操作者は、１つ又は複数の顎部材から妨げられることなく、寝台横板を寝台横板用クランプのクランプハウジングののど状区域に導入することができる。操作者は、本明細書の他の部分の妓楼により行うことができる。
【００３８】
寝台横板をクランプハウジングののど状区域内に入れて、操作者は、寝台横板用クランプを閉じることができる。操作者は、作動部材をクランプ開位置からクランプ閉位置まで閉じる方向に移動させることができる。そうすることで、１つ又は複数の顎部材を顎開位置から顎閉位置まで再配置することができる。１つ又は複数の顎部材のそのような再配置は、１つ又は複数の顎部材を閉じる方向に平行移動し、１つ又は複数の顎部材を枢動することの両方を含むことができる。そのような配置を成し遂げる具体的な方法（例えば、ガイド要素を介した）は、本明細書の他で述べられている。
【００３９】
顎閉位置は、クランプハウジングの寝台横板表面が寝台横板の概ね垂直な外面と係合することを含むことができる。いくつかの顎閉位置の属性は、本明細書の他で述べられている。多くの場合、１つ顎型寝台横板用クランプを使用するとき、顎閉位置は、単独の顎部材の寝台横板部が寝台横板の概ね水平な上面又は下面のどちらかに近接して配置されることと、クランプハウジングの第２の寝台横板表面が顎部材の寝台横板部に近接して配置されていない寝台横板の上面又は下面のどちらかに近接して配置されることと、を含む。１つ顎型寝台横板用クランプを使用する好適な方法では、クランプハウジングの第２の寝台横板表面は、寝台横板の上面に近接して配置されており、単独の顎部材の寝台横板部は、寝台横板の下面に近接して配置されている。さらに、顎閉位置は、単独の顎部材の第２の寝台横板部が寝台横板の概ね垂直な内面と係合することを含む。
【００４０】
２つ顎型寝台横板用クランプが使用されるとき、第２の顎部材は、顎閉位置にある寝台横板と相互作用することができる。１つ顎型寝台横板用クランプを使用する方法と同様に、２つ顎型寝台横板用クランプが使われるとき、顎閉位置では、クランプハウジングの寝台横板表面が寝台横板の外面と係合することと、第１の顎部材の寝台横板部が寝台横板の上面又は／下面に近接して配置されていて、それぞれが寝台横板の内面と係合していることと、を含む。２つ顎型寝台横板用クランプを使用する方法では、顎閉位置は、第２の顎部材の寝台横板部が、第１の顎部材の第１の寝台横板部に近接して配置されていない、寝台横板の上面又は下面のどちらかに近接して配置されること、をさらに含む。好適な実施形態では、操作者は、どちらの顎部材が寝台横板の上面に近接して配置されるようになっているか、どちらの顎部材が寝台横板の下面に近接して配置されるようになっているか、を判定する必要がない。その理由は、寝台横板用クランプが実質的に対称形であり、顎部材は両方とも、寝台横板のどちらかの表面に近接して配置されるように構成されているからである。さらに、そのような方法では、顎閉位置は、第２の顎部材の第２の寝台横板部が寝台横板の内面と係合していることをさらに伴っている。
【００４１】
多くの好適な方法では、１つ又は複数の顎部材の再配置は、１つ又は複数の顎部材を、顎開位置と顎閉位置の間にある顎部分的閉位置を通過して移動させることを含むことができる。いくつかの顎部分的閉位置の属性は、本明細書の他で述べられている。顎部分的閉位置では、１つ又は複数の顎部材は、クランプハウジングののど状区域内に配置されるとき、寝台横板がクランプハウジングののど状区域を出ることを妨げることができる。しかし、顎部分的閉位置では、１つ又は複数の顎部材は、寝台横板と完全に係合していない。すなわち、クランプハウジングの寝台横板表面が寝台横板の外面と係合していないか、あるいは、１つ又は複数の顎部材の第２の寝台横板部が寝台横板の内面と係合していない（あるいはその両方である）。１つ又は複数の顎部材は、最初に、顎開位置から顎部分的閉位置まで再配置することができる。本明細書の他で言及されるように、そのような再配置は、顎部材を閉じる方向に平行移動することと、１つ又は複数の顎部材を枢動することとの両方を含む。次に、１つ又は複数の顎部材は、顎部分的閉位置から顎閉位置まで再配置することができる。そのような再配置は、顎部材を閉じる方向に平行移動することだけを含むことができる。このようにして、１つ顎型寝台横板用クランプを使用する場合、顎部材は、最初に、クランプハウジングの概ね水平な横寝台横板表面からその最終的な距離まで閉じられ、次に、顎部材は、引き戻されてクランプハウジングの概ね垂直な寝台横板表面に寝台横板を押圧することで、様々な長さの寝台横板に適応することができる。
【００４２】
前述の詳細な説明で、本発明は、特定の実施例を参照しながら解説されてきた。しかしながら、添付の請求項に記載した本発明の範囲から逸脱することなく、さまざまな修正及び変更を行うことができることが理解されてもよい。したがって、本明細書で記載している好適な実施形態の特徴のいくつかは、代替的な使用を意図される本発明の好適な実施形態に必ずしも含まれるというわけではない。
【図１】
0005643437.tif 000002
【図２Ａ】
0005643437.tif 000003
【図２Ｂ】
0005643437.tif 000004
【図２Ｃ】
0005643437.tif 000005
【図３Ａ】
0005643437.tif 000006
【図３Ｂ】
0005643437.tif 000007
【図４】
0005643437.tif 000008
【図５Ａ】
0005643437.tif 000009
【図５Ｂ】
0005643437.tif 000010
【図６Ａ】
0005643437.tif 000011
【図６Ｂ】
0005643437.tif 000012
【図６Ｃ】
0005643437.tif 000013
【図７】
0005643437.tif 000014
【図８Ａ】
0005643437.tif 000015
【図８Ｂ】
0005643437.tif 000016
【図８Ｃ】
0005643437.tif 000017